(57)【要約】【課題】小型化が可能であるとともに操作性を向上させることのできる配管装置及び配管システムを提供する。【解決手段】本発明の配管装置３０は、軸線方向に沿って配列された第１弁箱部３１１と第２弁箱部３２２とが一体的に構成されてなる、弁箱３１と、弁箱内に収容され、該弁箱に対して配管装置の軸線の周りに回転可能に支持されるとともに、軸線方向に沿って配列された第１水室３２１と第２水室３２２とを有する、弁体３２と、を備え、第１弁箱部は、第１流入口３１１ａと、第１流出口３１１ｂ、３１１ｃとを有し、第２弁箱部は、第２流入口３１２ｂ、３１２ｃと、第２流出口３１２aとを有し、弁体は、第１開口３２１aと、第２開口３２２aとを有し、第２水室から第１水室への水流が、常に禁止されるように構成されている。【選択図】図２
2014218789.tif 000002
【特許請求の範囲】
【請求項１】
水の流出入を制御する配管装置であって、
配管装置の軸線方向に沿って配列された第１弁箱部と第２弁箱部とが一体的に構成されてなり、断面円環状の内周面を有する、弁箱と、
前記弁箱内に収容され、該弁箱に対して配管装置の軸線の周りに回転可能に支持されるとともに、前記軸線方向に沿って配列された第１水室と第２水室とを有し、断面円環状の外周面を有する、弁体と、
を備え、
前記第１弁箱部は、水が流入する第１流入口と、水が流出する第１流出口とを有するとともに、前記第１水室の、配管装置の径方向外側に配置され、
前記第２弁箱部は、水が流入する第２流入口と、水が流出する第２流出口とを有し、前記第２水室の、配管装置の径方向外側に配置され、
前記弁体は、
前記第１流入口又は前記第１流出口と重なり合うことによって前記第１水室と配管装置の外部との間の水流を許容する第１開口と、前記第２流入口又は前記第２流出口と重なり合うことによって前記第２水室と配管装置の外部との間の水流を許容する第２開口とを有し、
前記第２水室から前記第１水室への水流が、常に禁止されるように構成されていることを特徴とする、配管装置。
【請求項２】
前記弁体は、
前記第１水室と前記第２水室とを接続するバイパス管と、
前記バイパス管内に設けられ、前記第１水室から前記第２水室への水流のみを許容する逆止弁と、
をさらに備えている、請求項１に記載の配管装置。
【請求項３】
前記弁体は、前記第１水室と前記第２水室との間の水流を禁止するように構成された隔壁をさらに備えている、請求項１に記載の配管装置。
【請求項４】
前記弁箱は、
前記第１流入口又は第１流出口に接続された第１連通管と、
前記第２流入口又は第２流出口に接続された第２連通管と、
前記第１連通管と前記第２連通管とのそれぞれに開口するバイパス管と、
前記バイパス管内に設けられ、前記第１連通管から前記第２連通管への水流のみを許容する逆止弁と、
をさらに備えている、請求項３に記載の配管装置。
【請求項５】
前記第１流入口が給水元への接続口に接続され、
複数の前記第１流出口が複数のポンプの各吸込口にそれぞれ接続され、
複数の前記第２流入口が前記複数のポンプの各吐出口にそれぞれ接続され、
前記第２流出口が需要先への接続口に接続される、請求項１〜３のいずれか一項に記載の配管装置。
【請求項６】
請求項１に記載された配管装置を複数備えた配管システムであって、
隣接する２つの前記配管装置のうちの、
一方の配管装置の複数の前記第１流出口のうち１つが、他方の配管装置の前記第１流入口と接続され、
一方の配管装置の複数の前記第２流入口のうち１つが、他方の配管装置の前記第２流出口と接続されている、配管システム。
【請求項７】
前記複数の配管装置のうち少なくとも１つの配管装置の前記弁体が、
前記第１水室と前記第２水室とを接続するバイパス管と、
前記バイパス管内に設けられ、前記第１水室から前記第２水室への水流のみを許容する逆止弁と、
をさらに備えており、
他の配管装置の前記弁体が、それぞれ、前記第１水室と前記第２水室との間の水流を禁止するように構成された隔壁をさらに備えている、請求項６に記載の配管システム。
【請求項８】
前記複数の配管装置の前記弁体が、それぞれ、前記第１水室と前記第２水室との間の水流を禁止するように構成された隔壁をさらに備えている、請求項６に記載の配管システム。
【請求項９】
前記複数の配管装置のうちいずれか１つの、前記第１流入口又は第１流出口に接続された第１連通管と、
前記複数の配管装置のうちいずれか１つの、前記第２流入口又は第２流出口に接続された第２連通管と、
前記第１連通管と前記第２連通管とのそれぞれに開口するバイパス管と、
前記バイパス管内に設けられ、前記第１連通管から前記第２連通管への水流のみを許容する逆止弁と、
をさらに備えている、請求項８に記載の配管システム。
【請求項１０】
前記複数の配管装置のうちいずれか１つの配管装置の前記第１流入口及び第２流出口が、それぞれ給水元への接続口及び需要先への接続口に接続され、
前記複数の配管装置の各々における前記複数の第１流出口及び第２流入口のうち、他の配管装置と接続されていない１つ以上の第１流出口及び第２流入口が、１つ以上のポンプの各吸込口及び各吐出口にそれぞれ接続される、請求項６〜８のいずれか一項に記載の配管システム。
【請求項１１】
液体の流出入を制御する配管装置であって、
配管装置の軸線方向に沿って配列された第１弁箱部と第２弁箱部とが一体的に構成されてなり、断面円環状の内周面を有する、弁箱と、
前記弁箱内に収容され、該弁箱に対して配管装置の軸線の周りに回転可能に支持されるとともに、前記軸線方向に沿って配列された第１液体室と第２液体室とを有し、断面円環状の外周面を有する、弁体と、
を備え、
前記第１弁箱部は、複数の第１弁箱開口を有するとともに、前記第１液体室の、配管装置の径方向外側に配置され、
前記第２弁箱部は、複数の第２弁箱開口を有するとともに、前記第２液体室の、配管装置の径方向外側に配置され、
前記弁体は、
前記第１弁箱開口と重なり合うことによって前記第１液体室と配管装置の外部との間の液体の流動を許容する第１弁体開口と、前記第２弁箱開口と重なり合うことによって前記第２液体室と配管装置の外部との間の液体の流動を許容する第２弁体開口とを有し、
前記第２液体室から前記第１液体室への液体流が、常に禁止されるように構成された、仕切り部を、前記第１液体室と前記第２液体室との間に有することを特徴とする、配管装置。
【発明の詳細な説明】
【技術分野】
【０００１】
この発明は、給水装置等に用いることができる配管装置及び配管システムに関する。
【背景技術】
【０００２】
従来より、商業建造物や集合住宅等、上水を大量に消費する需要先に充分な給水をすべく、上水道配水管と需要先との間には、給水装置が設けられることがある。
【０００３】
このような従来の給水装置として、特許文献１や特許文献２に記載されたものが知られている。これらの給水装置は、並列流路内に配置された複数のポンプと、配管装置とを備えている。この配管装置は、上水道配水管の給水水圧が所定値に満たない場合は、水をポンプで昇圧させてから需要先に送るが、夜間の使用水量の少ない時など、上水道配水管の給水水圧が所定値を超えた場合は、上水道配水管の給水水圧を利用して水を直接需要先に送ることでポンプの消費電力を節約するものである。いずれかのポンプに故障が発生した場合、この配管装置は、他の正常なポンプを運転させることで、給水停止を招かないようにする。そして、このような機能を実現すべく、この配管装置は、ポンプ毎に、ポンプの吸込口及び吐出口にそれぞれ接続された一対の三方向弁を有しており、同一ポンプに接続された一対の三方向弁が、同一の回転軸の周りに回転されることによって、同時に弁の切替えが行われるように構成されている。
【先行技術文献】
【特許文献】
【０００４】
【特許文献１】特許第４３０８３８９号公報
【特許文献２】特許第４４３４３９２号公報
【発明の概要】
【発明が解決しようとする課題】
【０００５】
しかしながら、特許文献１、２に開示される配管装置は、給水装置のポンプ毎に、同一の回転軸周りに同時に回転される一対の三方向弁が割り当てられていることから、配管装置が大型化してしまうとともに、操作性に関して改善の余地があった。
【０００６】
本発明は、上記の課題を解決するためにされたものであり、小型化が可能であるとともに操作性を向上させることのできる配管装置及び配管システムを提供することにある。
【課題を解決するための手段】
【０００７】
上記目的を達成するための本発明の要旨構成は、次の通りである。
【０００８】
本発明による配管装置は、
水の流出入を制御する配管装置であって、
配管装置の軸線方向に沿って配列された第１弁箱部と第２弁箱部とが一体的に構成されてなり、断面円環状の内周面を有する、弁箱と、
前記弁箱内に収容され、該弁箱に対して配管装置の軸線の周りに回転可能に支持されるとともに、前記軸線方向に沿って配列された第１水室と第２水室とを有し、断面円環状の外周面を有する、弁体と、
を備え、
前記第１弁箱部は、水が流入する第１流入口と、水が流出する第１流出口とを有するとともに、前記第１水室の、配管装置の径方向外側に配置され、
前記第２弁箱部は、水が流入する第２流入口と、水が流出する第２流出口とを有し、前記第２水室の、配管装置の径方向外側に配置され、
前記弁体は、
前記第１流入口又は前記第１流出口と重なり合うことによって前記第１水室と配管装置の外部との間の水流を許容する第１開口と、前記第２流入口又は前記第２流出口と重なり合うことによって前記第２水室と配管装置の外部との間の水流を許容する第２開口とを有し、
前記第２水室から前記第１水室への水流が、常に禁止されるように構成されている。
この発明によれば、例えば、第１流入口及び第２流出口がそれぞれ上水道配水管への接続口及び需要先への接続口に接続され、複数の第１流出口及び第２流入口が複数のポンプの各吸込口及び各吐出口にそれぞれ接続される場合に、各ポンプへの水流を、１つの弁体の回転によって制御することができる。これにより、配管装置の小型化と操作性の向上とが可能になる。また、上記の場合に、少なくとも水圧が十分でないときに水をポンプに送って昇圧させることができるとともに、需要先の水が上水道配水管に逆流するのを防止することができる。
なお、本発明において「断面円環状」とは、配管装置の軸線に対して垂直な方向の断面において円環状であることを意味する。また、「接続」とは、複数の流路どうしが直接接続される場合に限られず、複数の流路どうしが連通管等の部品を介して接続される場合も含む。
【０００９】
この発明の配管装置において、
前記弁体は、
前記第１水室と前記第２水室とを接続するバイパス管と、
前記バイパス管内に設けられ、前記第１水室から前記第２水室への水流のみを許容する逆止弁と、
をさらに備えてもよい。
この構成によれば、例えば、第１流入口及び第２流出口がそれぞれ上水道配水管への接続口及び需要先への接続口に接続され、第１流出口及び第２流入口がポンプの吸込口及び吐出口にそれぞれ接続される場合に、ポンプへの流路を遮断するときに、上水道配水管から流れる水のすべてをバイパス管を介して需要先に送ることができるとともに、このときに需要先の水が上水道配水管に逆流するのを防止することができる。また、バイパス管及び逆止弁が弁体内に設けられるので、配管装置が大型化することはない。
【００１０】
この発明の配管装置において、
前記弁体は、前記第１水室と前記第２水室との間の水流を禁止するように構成された隔壁をさらに備えてもよい。
この構成によれば、例えば、第１流入口及び第２流出口がそれぞれ受水槽への接続口及び需要先への接続口に接続され、第１流出口及び第２流入口がポンプの吸込口及び吐出口にそれぞれ接続される場合に、受水槽から流れる水のすべてをポンプに送って昇圧させてから需要先に送ることができる。
【００１１】
この発明の配管装置において、
前記弁箱は、
前記第１流入口又は第１流出口に接続された第１連通管と、
前記第２流入口又は第２流出口に接続された第２連通管と、
前記第１連通管と前記第２連通管とのそれぞれに開口するバイパス管と、
前記バイパス管内に設けられ、前記第１連通管から前記第２連通管への水流のみを許容する逆止弁と、
をさらに備えてもよい。
この構成によれば、例えば、第１流入口及び第２流出口がそれぞれ上水道配水管への接続口及び需要先への接続口に接続され、第１流出口及び第２流入口がポンプの吸込口及び吐出口にそれぞれ接続される場合に、ポンプを運転させないときに、上水道配水管から流れる水のすべてをバイパス管を介して需要先に送ることができるとともに、このときに需要先の水が上水道配水管に逆流するのを防止することができる。
【００１２】
この発明の配管装置において、
前記第１流入口が給水元への接続口に接続され、
複数の前記第１流出口が複数のポンプの各吸込口にそれぞれ接続され、
複数の前記第２流入口が前記複数のポンプの各吐出口にそれぞれ接続され、
前記第２流出口が需要先への接続口に接続されることが好ましい。
この構成によれば、各ポンプへの水流を、１つの弁体の回転によって制御することができるので、配管装置の小型化と操作性の向上とが可能になる。
【００１３】
本発明による配管システムは、上述したような配管装置を複数備えており、
隣接する２つの前記配管装置のうちの、
一方の配管装置の複数の前記第１流出口のうち１つが、他方の配管装置の前記第１流入口と接続され、
一方の配管装置の複数の前記第２流入口のうち１つが、他方の配管装置の前記第２流出口と接続されているものである。
この構成によれば、例えば、いずれか１つの配管装置の第１流入口及び第２流出口がそれぞれ上水道配水管への接続口及び需要先への接続口に接続され、各配管装置における複数の第１流出口及び第２流入口のうち、他の配管装置と接続されていない１つ以上の第１流出口及び第２流入口が、１つ以上のポンプの各吸込口及び各吐出口にそれぞれ接続される場合に、配管システムの小型化と操作性の向上とが可能になる。
【００１４】
本発明による配管システムにおいて、
前記複数の配管装置のうち少なくとも１つの配管装置の前記弁体が、
前記第１水室と前記第２水室とを接続するバイパス管と、
前記バイパス管内に設けられ、前記第１水室から前記第２水室への水流のみを許容する逆止弁と、
をさらに備えており、
他の配管装置の前記弁体が、それぞれ、前記第１水室と前記第２水室との間の水流を禁止するように構成された隔壁をさらに備えてもよい。
この構成によれば、例えば、少なくとも１つの配管装置の第１流入口及び第２流出口がそれぞれ上水道配水管への接続口及び需要先への接続口に接続され、各配管装置における複数の第１流出口及び第２流入口のうち、他の配管装置と接続されていない１つ以上の第１流出口及び第２流入口が、１つ以上のポンプの各吸込口及び各吐出口にそれぞれ接続される場合に、ポンプへの流路を遮断するときに、上水道配水管から流れる水のすべてを上記バイパス管を介して需要先に送ることができるとともに、このときに需要先の水が上水道配水管に逆流するのを防止することができる。また、バイパス管及び逆止弁が配管装置の弁体内に設けられるので、配管システムが大型化することはない。
【００１５】
本発明による配管システムにおいて、
前記複数の配管装置の前記弁体が、それぞれ、前記第１水室と前記第２水室との間の水流を禁止するように構成された隔壁をさらに備えてもよい。
この構成によれば、例えば、いずれか１つの配管装置の第１流入口及び第２流出口がそれぞれ受水槽への接続口及び需要先への接続口に接続され、各配管装置における複数の第１流出口及び第２流入口のうち、他の配管装置と接続されていない１つ以上の第１流出口及び第２流入口が、それぞれ１つ以上のポンプの各吸込口及び各吐出口にそれぞれ接続される場合に、受水槽から流れる水のすべてをポンプに送って昇圧させてから需要先に送ることができる。
【００１６】
本発明による配管システムは、
前記複数の配管装置のうちいずれか１つの、前記第１流入口又は第１流出口に接続された第１連通管と、
前記複数の配管装置のうちいずれか１つの、前記第２流入口又は第２流出口に接続された第２連通管と、
前記第１連通管と前記第２連通管とのそれぞれに開口するバイパス管と、
前記バイパス管内に設けられ、前記第１連通管から前記第２連通管への水流のみを許容する逆止弁と、
をさらに備えてもよい。
この構成によれば、例えば、少なくとも１つの配管装置の第１流入口及び第２流出口がそれぞれ上水道配水管への接続口及び需要先への接続口に接続され、各配管装置における複数の第１流出口及び第２流入口のうち、他の配管装置と接続されていない１つ以上の第１流出口及び第２流入口が、１つ以上のポンプの各吸込口及び各吐出口にそれぞれ接続される場合に、ポンプを運転させないときに、上水道配水管から流れる水のすべてを上記バイパス管を介して需要先に送ることができるとともに、このときに需要先の水が上水道配水管に逆流するのを防止することができる。
【００１７】
本発明による配管システムにおいて、
前記複数の配管装置のうちいずれか１つの配管装置の前記第１流入口及び第２流出口が、それぞれ給水元への接続口及び需要先への接続口に接続され、
前記複数の配管装置の各々における前記複数の第１流出口及び第２流入口のうち、他の配管装置と接続されていない１つ以上の第１流出口及び第２流入口が、１つ以上のポンプの各吸込口及び各吐出口にそれぞれ接続されることが好ましい。
この構成によれば、配管システムの小型化と操作性の向上とが可能になる。
【００１８】
本発明による他の配管装置は、
液体の流出入を制御する配管装置であって、
配管装置の軸線方向に沿って配列された第１弁箱部と第２弁箱部とが一体的に構成されてなり、断面円環状の内周面を有する、弁箱と、
前記弁箱内に収容され、該弁箱に対して配管装置の軸線の周りに回転可能に支持されるとともに、前記軸線方向に沿って配列された第１液体室と第２液体室とを有し、断面円環状の外周面を有する、弁体と、
を備え、
前記第１弁箱部は、複数の第１弁箱開口を有するとともに、前記第１液体室の、配管装置の径方向外側に配置され、
前記第２弁箱部は、複数の第２弁箱開口を有するとともに、前記第２液体室の、配管装置の径方向外側に配置され、
前記弁体は、
前記第１弁箱開口と重なり合うことによって前記第１液体室と配管装置の外部との間の液体の流動を許容する第１弁体開口と、前記第２弁箱開口と重なり合うことによって前記第２液体室と配管装置の外部との間の液体の流動を許容する第２弁体開口とを有し、
前記第２液体室から前記第１液体室への液体流が、常に禁止されるように構成された、仕切り部を、前記第１液体室と前記第２液体室との間に有する。
この構成によれば、配管装置の小型化と操作性の向上とが可能になる。
【発明の効果】
【００１９】
本発明によれば、小型化が可能であるとともに操作性を向上させることのできる配管装置及び配管システムを提供することができる。
【図面の簡単な説明】
【００２０】
【図１】本発明の一実施形態に係る配管装置を用いた給水装置を示す正面図である。
【図２】本発明の一実施形態に係る配管装置を示す部分断面斜視図である。
【図３】本発明の一実施形態に係る配管装置を示す分解斜視図である。
【図４】１号ポンプ及び２号ポンプへの流路を形成している場合の水の流路を示す模式図である。
【図５】１号ポンプへの流路を遮断する場合の水の流路を示す模式図である。
【図６】２号ポンプへの流路を遮断する場合の水の流路を示す模式図である。
【図７】１号ポンプ及び２号ポンプへの流路を遮断する場合の水の流路を示す模式図である。
【図８】本発明の一実施形態に係る配管システムにおける水の流路を示す模式図である。
【発明を実施するための形態】
【００２１】
以下、本発明の実施形態につき、図面を参照して詳細に例示説明する。
【００２２】
[配管装置]
本発明の一実施形態に係る配管装置を、図１〜図７を参照して説明する。
【００２３】
図１と図４に示すように、本実施形態に係る配管装置３０は、本例では、水の流出入を制御するものであり、給水装置４に組み込まれて使用されるものである。ただし、本実施形態に係る配管装置３０は、給水装置４以外の構成を持つ給水装置や、給水装置以外の装置に、組み込まれて使用されてもよい。図に示す給水装置４は、上水道配水管への接続口１７と需要先への接続口１８との間の流路に設けられており、逆流防止器１６と、配管装置３０と、並列流路内に配置された１号ポンプ１及び２号ポンプ２と、仕切弁２０と、圧力タンク１９と、を備えている。また、図４に示すように、本例の配管装置３０は、１号ポンプ１及び２号ポンプ２の吸込口に接続された第１多方向弁（図の例では、三方向弁）５と、１号ポンプ１及び２号ポンプ２の吐出口に接続された第２多方向弁（図の例では、三方向弁）６と、第１多方向弁５及び第２多方向弁６を同時に軸線９周りに回転させる際に操作されるハンドル７と、第１多方向弁５と第２多方向弁６との間に接続された逆止弁３３と、を備えている。
【００２４】
次に、配管装置３０の具体的な構成について説明する。図２と図３に示すように、配管装置３０は、断面円環状の内周面３１３を有する弁箱３１と、弁箱３１内に収容され、弁箱３１に対して配管装置３０の軸線９の周りに回転可能に支持される弁体３２と、を備えている。弁箱３１は、配管装置３０の軸線９の方向（以下、「軸線方向」という場合がある。）に沿って配列された第１弁箱部３１１と第２弁箱部３１２とが一体的に構成されている。
【００２５】
第１弁箱部３１１は、水が流入する第１流入口３１１aと、水が流出する複数（図の例では、２つ）の第１流出口３１１ｂ、３１１ｃとを有する。第２弁箱部３１２は、水が流入する複数（図の例では、２つ）の第２流入口３１２ｂ、３１２ｃと、水が流出する第２流出口３１２ａとを有する。
【００２６】
本例では、第１流入口３１１ａが逆流防止器１６を介して上水道配水管（給水元）への接続口１７に接続され、２つの第１流出口３１１ｂ、３１１ｃが２つのポンプ１、２の各吸込口にそれぞれ接続され、２つの第２流入口３１２ｂ、３１２ｃがこれらのポンプ１、２の各吐出口にそれぞれ接続され、第２流出口３１２ａが需要先への接続口１８に接続される。
【００２７】
図３に示すように、本例では、第１弁箱部３１１において、第１流入口３１１ａと２つの第１流出口３１１ｂ、３１１ｃとが、配管装置３０の周方向（以下、「周方向」という場合がある。）に沿って配列されている。そして、第１流入口３１１ａの中心軸線と一方の第１流出口３１１ｂの中心軸線とが９０度の角度をなし、一方の第１流出口３１１ｂの中心軸線と他方の第１流出口３１１ｃの中心軸線とが９０度をなすように配置されている。同様に、第２弁箱部３１２において、２つの第２流入口３１２ｂ、３１２ｃと第２流出口３１２aとが、配管装置３０の周方向に沿って配列されている。そして、第２流出口３１２ａの中心軸線と一方の第２流入口３１２ｂの中心軸線とが９０度をなし、一方の第２流入口３１２ｂの中心軸線と他方の第２流入口３１２ｃの中心軸線とが９０度をなすように配置されている。また、第１弁箱部３１１の第１流入口３１１ａ、第１流出口３１１ｂ、３１１ｃは、それぞれ第２弁箱部３１２の第２流出口３１２ａ、第２流入口３１２ｂ、３１２ｃと、軸線方向に沿って配列されている。
【００２８】
弁箱３１は、さらに、弁箱３１の軸線方向の第１弁箱部３１１側の端面を塞ぐ端壁３１４と、弁箱３１の軸線方向の第２弁箱部３１２側の端面を塞ぐ端壁３１５とを備えている。図の例では、第１弁箱部３１１側の端壁３１４が、弁箱３１の該端壁３１４以外の部分と別体に構成されている。これにより、配管装置３０の製造時において、弁箱３１の軸線方向の第１弁箱部３１１側の開放した端面から、弁体３２等の配管装置３０の構成部品を弁箱３１内に収容した後に、該端面を端壁３１４によって塞ぐようにしている。
ただし、この代わりに、第２弁箱３１２側の端壁３１５を、弁箱３１の該端壁３１５以外の部分と別体に構成してもよい。
【００２９】
弁体３２は、軸線方向に沿って配列された第１水室３２１と第２水室３２２とを有し、断面円環状の外周面３２０を有する。そして、第１弁箱部３１１は、第１水室３２１の、配管装置３０の径方向外側に配置されており、第２弁箱部３１２は、第２水室３２２の、配管装置３０の径方向外側に配置されている。さらに、弁体３２は、第１流入口３１１ａ又は第１流出口３１１ｂ、３１１ｃと重なり合うことによって第１水室３２１と配管装置３０の外部との間の水流を許容する複数（図の例では、３つ）の第１開口３２１ａと、第２流入口３１２ｂ、３１２ｃ又は第２流出口３１２ａと重なり合うことによって第２水室３２２と配管装置３０の外部との間の水流を許容する複数（図の例では、３つ）の第２開口３２２ａと、２つの水流遮断部３２３、３２４とを有する。
【００３０】
図の例では、弁体３２の第１水室３２１側の部分において、３つの第１開口３２１ａと、水流遮断部３２３とが、配管装置３０の周方向に沿って等間隔に配列されている。同様に、弁体３２の第２水室３２２側の部分において、３つの第２開口３２２ａと、水流遮断部３２４とが、配管装置３０の周方向に沿って等間隔に配列されている。そして、第１開口３２１ａと第２開口３２２ａとが、それぞれ１つずつ、軸線方向に沿って配列されており、２つの水流遮断部３２３、３２４が、軸線方向に沿って配列されている。
また、図の例では、弁体３２における第１開口３２１ａ及び水流遮断部３２３と、第２開口３２２ａ及び水流遮断部３２４との間の、軸線方向の間隔は、弁箱３１における第１流入口３１１ａ及び第１流出口３１１ｂ、３１１ｃと、第２流入口３１２ｂ、３１２ｃ及び第２流出口３１２ａとの間の、軸線方向の間隔と等しくされている。
【００３１】
そして、弁体３２は、弁箱３１に対して軸線９周りに回転されることにより、弁箱３１の第１流入口３１１ａ、第１流出口３１１ｂ、３１１ｃ、第２流入口３１２ｂ、３１２ｃ及び第２流出口３１２aの各々を、同時に開閉するように構成されている。具体的に、図の例では、弁体３２が弁箱３１に対して軸線９周りに回転されることにより、軸線方向に沿う弁箱３１の第１流入口３１１ａ及び第２流出口３１２ａの列と、一方の第１流出口３１１ｂ及び一方の第２流入口３１２ｂの列と、他方の第１流出口３１１ｃ及び他方の第２流入口３１２ｃの列とが、それぞれ同時に、弁体３２の第１開口３２１ａ及び第２開口３２２ａの列又は水流遮断部３２３、３２４の列と重なり合う。このとき、軸線方向に沿う弁箱３１の第１流入口３１１ａ及び第２流出口３１２ａの列と、一方の第１流出口３１１ｂ及び一方の第２流入口３１２ｂの列と、他方の第１流出口３１１ｃ及び他方の第２流入口３１２ｃの列とは、それぞれ、弁体３２の第１開口３２１ａ及び第２開口３２２ａの列と重なり合う場合に開状態にされ、弁体３２の水流遮断部３２３、３２４の列と重なり合う場合に閉状態にされる。
【００３２】
そして、弁体３２の第１水室３２１側の部分が、図４の第１多方向弁（図の例では、三方向弁）５を構成しており、弁体３２の第２水室３２２側の部分が、図４の第２多方向弁（図の例では、三方向弁）６を構成している。
【００３３】
なお、弁体３２が、弁箱３１に対して軸線９周りに回転されることにより、弁箱３１の第１流入口３１１ａ、第１流出口３１１ｂ、３１１ｃ、第２流入口３１２ｂ、３１２ｃ及び第２流出口３１２aの各々を、同時に開閉するように構成されている限り、弁箱３１における第１流入口３１１ａ、第１流出口３１１ｂ、３１１ｃ、第２流入口３１２ｂ、３１２ｃ及び第２流出口３１２ａの配置や、弁体３２における第１開口３２１ａ、第２開口３２２ａ及び水流遮断部３２３、３２４の配置及び構成は、本例のものと異なっていてもよい。
例えば、第１弁箱部３１１の第１流入口３１１ａ、第１流出口３１１ｂ、３１１ｃは、それぞれ第２弁箱部３１２の第２流出口３１２ａ、第２流入口３１２ｂ、３１２ｃと、軸線方向に沿って配列されなくてもよい。
【００３４】
弁体３２は、第２水室３２２から第１水室３２１への水流が、常に禁止されるように構成されている。具体的に、弁体３２は、図２に示すように、本例において、第１水室３２１と第２水室３２２とを接続するバイパス管３８と、バイパス管３８内に設けられ、第１水室３２１から第２水室３２２への水流のみを許容する逆止弁３３と、をさらに備えている。
【００３５】
図の例において、配管装置３０は、弁体３２に固定されて、軸線方向に沿って弁箱３１の一端から外部に突出する弁棒３４をさらに備えている。弁棒３４は、弁体３２とともに弁箱３１に対して軸線９周りを回転可能に構成されており、外部に突出する弁棒３４の部分にハンドル７（図１）が取り付けられる。ユーザによりハンドル７が操作されると、弁棒３４及び弁体３２が弁箱３１に対して軸線９周りに回転される。
なお、弁体３２と弁棒３４は、一体的に構成されてもよい。
【００３６】
また、本例では、図２及び図３に示すように、弁棒３４と弁箱３１の軸線方向の一方の端壁３１４との間に支持部材３７が設けられているとともに、弁体３２と弁箱３１の軸線方向の他方の端壁３１５との間に支持部材３６が設けられている。さらに、弁体３２の外周面３２０と弁箱３１の内周面３１３との間に、パッキン３２５が設けられている。
【００３７】
なお、圧力タンク１９は、内部に圧縮空気が封入されており、ポンプが停止されて水が不使用の状態にあるとき、圧縮空気の作用によって給水装置４の配管内の水圧を充分な値に保持する。圧力タンク１９の交換又は点検時には、仕切弁２０を閉めた上で、圧力タンク１９内の圧縮空気を、別途設けた排出口から外部に排出させることで、圧力タンク内の圧力を低減させてから、交換又は点検を行うようにしてもよい。
【００３８】
次に、図２〜図７を参照して、本実施形態に係る配管装置３０の作用を説明する。図４は、１号ポンプ１及び２号ポンプ２への流路を形成している場合の水の流路を示す図である。本例の給水装置４は、上水道配水管の給水圧力が、ポンプで昇圧しなくても需要先で必要かつ十分な給水が出来るように定められた設定値以下である場合、１号ポンプ１又は２号ポンプ２を運転させて、給水圧力を当該設定値まで昇圧させるものである。この場合、例えば、１号ポンプ１と２号ポンプ２とは、それぞれの運転時間が平均化するように交互に運転され、同時に運転されることは無いようにしてもよいし、同時に運転されてもよい。このとき、図２、図３において、弁体３２の３つの第１開口３２１ａと３つの第２開口３２２ａとは、それぞれ、弁箱３１の第１流入口３１１ａ及び第１流出口３１１ｂ、３１１ｃと、第２流入口３１２ｂ、３１２ｃ及び第２流出口３１２aと、重なり合って、これらを開状態にしている。
【００３９】
この開状態で、１号ポンプ１を運転させるとき、上水道配水管の接続口１７から流れる水は、逆流防止器１６、弁箱３１の第１流入口３１１ａ、弁箱３１の一方の第１流出口３１１ｂ、１号ポンプ１の吸込口、１号ポンプ１の吐出口、弁箱３１の一方の第２流入口３１２ｂ、弁箱３１の第２流出口３１２ａ、需要先への接続口１８の順に流れる。
上記開状態で、２号ポンプ２を運転させるとき、上水道配水管の接続口１７から流れる水は、逆流防止器１６、弁箱３１の第１流入口３１１ａ、弁箱３１の他方の第１流出口３１１ｃ、２号ポンプ２の吸込口、２号ポンプ２の吐出口、弁箱３１の他方の第２流入口３１２ｃ、弁箱３１の第２流出口３１２ａ、需要先への接続口１８の順に流れる。
なお、１号ポンプ１又は２号ポンプ２を運転させる場合、各ポンプがそれぞれ内部に逆止弁を備えるため、運転中のポンプによって昇圧される水が停止中のポンプに逆流するおそれはないので、配管装置３０には、これらの場合の流路内に逆止弁を設けていない。
また、逆流防止器１６により、配管装置３０からの水が上水道配水管への接続口１７に逆流するのを防止している。
【００４０】
一方、上水道配水管の給水圧力が、上記設定値を超えた場合、ポンプによる昇圧が必要ではないことから、１号ポンプ１及び２号ポンプ２のいずれも運転させない。この場合、上水道配水管の接続口１７から流れる水は、逆流防止器１６、弁箱３１の第１流入口３１１ａ、バイパス管３８（及び逆止弁３３）、弁箱３１の第２流出口３１２ａ、需要先への接続口１８の順に流れることとなる。
このように、給水圧力が充分である場合に、バイパス管３８に水を流すことで、ポンプの消費電力を節約することができる。さらに、バイパス管３８内を流れる水が、逆止弁３３を通過することにより、需要先の水が上水道配水管に逆流するのを防止することができる。また、バイパス管３８及び逆止弁３３が弁体３２内に設けられるので、配管装置３０が大型化することはない。
【００４１】
図５、図６は、それぞれ１号ポンプ１、２号ポンプ２への流路を遮断した場合の水の流路を示す図である。例えば１号ポンプ１又は２号ポンプ２が故障し、修理のために当該故障したポンプの運転を停止し又は給水装置４から当該ポンプを取り外さなければならない場合、ハンドル７を操作して弁体３２を弁箱３１に対して軸線９周りに回転させることにより、故障したポンプと配管装置３０との間の水流を遮断するとともに、正常なポンプと配管装置３０との間の水流を可能にする。そして、給水圧力が上述した設定値以下である場合は、正常なポンプを運転させ、給水圧力が当該設定値を超えた場合は、正常なポンプも運転させずに、水をバイパス管３８に流す。
【００４２】
図５において、例えば１号ポンプ１が故障した場合、弁体３２の水流遮断部３２３、３２４が、１号ポンプ１の吸込口及び吐出口にそれぞれ接続された弁箱３１の第１流出口３１１ｂ及び第２流入口３１２ｂを塞いで、これらを閉状態にする。一方、弁体３２の２つの第１開口３２１ａと２つの第２開口３２２ａとが、それぞれ、弁箱３１の第１流入口３１１ａ及び他方の第１流出口３１１ｃと、第２流出口３１２ａ及び他方の第２流入口３１２ｃと、重なり合って、これらを開状態にする。これにより、正常な２号ポンプ２を運転可能とする。
図６において、例えば２号ポンプ２が故障した場合、弁体３２の水流遮断部３２３、３２４が、２号ポンプ２の吸込口及び吐出口にそれぞれ接続された弁箱３１の第１流出口３１１ｃ及び第２流入口３１２ｃを塞いで、これらを閉状態する。一方、弁体３２の２つの第１開口３２１ａと２つの第２開口３２２ａとが、それぞれ、弁箱３１の第１流入口３１１ａ及び他方の第１流出口３１１ｂと、第２流出口３１２ａ及び他方の第２流入口３１２ｂと、重なり合って、これらを開状態にする。これにより、正常な１号ポンプ１を運転可能とする。
【００４３】
図７は、１号ポンプ１及び２号ポンプ２への流路を遮断する場合の水の流路を示す図である。例えば、１号ポンプ１と２号ポンプ２とが故障し、修理のために当該故障したポンプの運転を停止し又は給水装置４からこれらのポンプを取り外さなければならない場合、ハンドル７を操作して弁体３２を軸線９周りに回転させることにより、これらのポンプ１、２と配管装置３０との間の水流を遮断する。この場合、弁体３２の水流遮断部３２３、３２４が、弁箱３１の第１流入口３１１aと第２流出口３１２ａとをそれぞれ塞いで、これらを閉状態にしている。したがって、配管装置３０の内部には水が流れない状態となる。
【００４４】
なお、１号ポンプ１又は２号ポンプ２が正常な場合でも、必要に応じて１号ポンプ１又は２号ポンプ２への流路を遮断してもよい。
【００４５】
本実施形態によれば、配管装置３０の弁体３２が、弁箱３１に対して軸線９周りに回転させられることにより、第１流入口３１１ａ、第１流出口３１１ｂ、３１１ｃ、第２流入口３１２ｂ、３１２ｃ、及び第２流出口３１２aの各々を、同時に開閉するように構成されているので、複数のポンプ１、２への水流を、１つの弁体３２の回転によって、制御することができる。これにより、配管装置の小型化と操作性の向上とが可能になる。
【００４６】
また、配管装置３０の弁体３２は、第２水室３２２から第１水室３２１への水流が常に禁止されるように構成されているので、需要先の水が上水道配水管に逆流するのを防止することができる。
【００４７】
なお、上水道配水管への接続口１７と配管装置３０との間の流路に、受水槽を設けてもよい。この場合、上水道配水管への接続口１７からの水が、一旦受水槽に溜められ、これが給水元となって必要時に水が配管装置３０に送られる。受水槽を設けることで、仮に断水した場合でも、一定期間給水が可能になる。なお、仮に配管装置３０から受水槽に水が逆流した場合でも、受水槽から上水道配水管への接続口１７に水が逆流するおそれはないため、逆流防止器１６は設けなくてもよい。ただし、受水槽からの給水圧力は、需要先で必要かつ十分な給水が出来るほど高くはないおそれがあるため、常にポンプで昇圧されることが好ましい。この観点から、受水槽を給水元とする場合、弁体３２は、バイパス管３８及び逆止弁３３を設ける代わりに、第１水室３２１と第２水室３２２との間の水流を禁止するように構成された隔壁（図示せず）を備えることが好ましい。これによれば、受水槽から流れる水のすべてをポンプに送って昇圧させてから需要先に送ることができる。
【００４８】
また、上述した配管装置３０は、複数のポンプ１、２に接続されるものであるが、１つのポンプのみに接続されるものであってもよい。この場合、弁箱３１の第１流出口及び第２流入口は、それぞれ１つずつ設けられる。この構成によっても、配管装置の小型化と操作性の向上とが可能になる。
【００４９】
また、上述した実施形態において、弁体３２の複数の第１開口３２１ａ及び複数第２開口３２２ａを、それぞれ１つの第１開口及び１つの第２開口に置き換えてもよい。この場合、例えば、第１開口及び第２開口を、弁体の円周に沿って、それぞれ弁体３２の、水流遮断部３２３、３２４が設けられていない部分に延在させるようにしてもよい。
【００５０】
また、弁体３２がバイパス管３８及び逆止弁３３を備える代わりに、弁箱３１がバイパス管及び逆止弁を設けてもよい。この場合、弁箱３１は、第１流入口又は第１流出口に接続されて弁箱３１の外部に向けて延在する第１連通管と、第２流入口又は第２流出口に接続されて弁箱３１の外部に向けて延在する第２連通管と、第１連通管と第２連通管とのそれぞれに開口するバイパス管と、バイパス管内に設けられ、第１連通管から第２連通管への水流のみを許容する逆止弁と、をさらに備えることが好ましい。この場合、弁体３２は、バイパス管３８及び逆止弁３３を備える代わりに、第１水室３２１と第２水室３２２との間の水流を禁止するように構成された隔壁（図示せず）を備えることが好ましい。この構成によれば、ポンプを運転させない場合に、上水道配水管から流れる水のすべてをバイパス管を介して需要先に送ることができるとともに、このときに需要先の水が上水道配水管に逆流するのを防止することができる。
【００５１】
なお、本発明の他の配管装置は、給水装置以外のものに組み込むこともでき、すなわち次の構成を持つものでもある：
液体の流出入を制御する配管装置であって、
配管装置の軸線方向に沿って配列された第１弁箱部と第２弁箱部とが一体的に構成されてなり、断面円環状の内周面を有する、弁箱と、
前記弁箱内に収容され、該弁箱に対して配管装置の軸線の周りに回転可能に支持されるとともに、前記軸線方向に沿って配列された第１液体室と第２液体室とを有し、断面円環状の外周面を有する、弁体と、を備え、
前記第１弁箱部は、複数の第１弁箱開口を有するとともに、前記第１液体室の、配管装置の径方向外側に配置され、
前記第２弁箱部は、複数の第２弁箱開口を有するとともに、前記第２液体室の、配管装置の径方向外側に配置され、
前記弁体は、
前記第１弁箱開口と重なり合うことによって前記第１液体室と配管装置の外部との間の液体の流動を許容する第１弁体開口と、前記第２弁箱開口と重なり合うことによって前記第２液体室と配管装置の外部との間の液体の流動を許容する第２弁体開口とを有し、
前記第２液体室から前記第１液体室への液体流が、常に禁止されるように構成された、仕切り部を、前記第１液体室と前記第２液体室との間に有する。
【００５２】
ここで、「液体」とは、水や油等、任意の液体とすることができる。「第１弁箱部」、「第２弁箱部」、「弁箱」は、上記の実施形態における第１弁箱部３１１、第２弁箱部３１２、弁箱３１にそれぞれ対応する。「第１液体室」、「第２液体室」、「弁体」は、上記の実施形態における第１水室３２１、第２水室３２２、弁体３２にそれぞれ対応する。「複数の第１弁箱開口」は、上記の実施形態における第１流入口３１１ａ、第１流出口３１１ｂ、３１１ｃに対応する。「複数の第２弁箱開口」は、上記の実施形態における第２流出口３１２ａ、第２流入口３１２ｂ、３１２ｃにそれぞれ対応する。「第１弁体開口」、「第２弁体開口」は、上記の実施形態における第１開口３２１ａ、第２開口３２２ａにそれぞれ対応する。「仕切り部」は、上記の実施形態におけるバイパス管３８及び逆止弁３３に対応し、また、上記の変形例における隔壁に対応する。
【００５３】
[配管システム]
本発明の一実施形態に係る配管システムを、主に図８を参照して説明する。
【００５４】
本実施形態に係る配管システム５０は、図２〜７を参照して上述した配管装置を複数（本例では、２つの配管装置３０、３０’）備え、これらが互いに接続されており、本例では、給水装置４に組み込まれて使用されるものである。ただし、本実施形態に係る配管システム５０は、給水装置４以外の構成を持つ給水装置や、給水装置以外の装置に、組み込まれて使用されてもよい。図８に示す給水装置４は、上水道配水管への接続口１７と需要先への接続口１８との間の流路に設けられており、逆流防止器１６と、配管システム５０と、並列流路内に配置された複数（図の例では、３つ）のポンプ１〜３と、仕切弁２０と、圧力タンク１９と、を備えている。なお、配管システム５０を構成する各配管装置３０、３０’の構成は、基本的には上述したものと同様であるので、以下では、上述した構成と異なる部分を中心に説明する。
【００５５】
図８は、本実施形態に係る配管システム５０における水の流路を示している。本例の配管システム５０において、２つの配管装置３０、３０’のうち、上流側（上水道配水管への接続口１７に近い側）に配置された第１弁箱部３１１を有する配管装置（以下、「上流側の配管装置」という。）３０は、１号ポンプ１の吸込口及び吐出口にそれぞれ接続された第１多方向弁５（図の例では、三方向弁）及び第２多方向弁６（図の例では、三方向弁）を有している。一方、下流側（上水道配水管への接続口１７から遠い側）に配置された第１弁箱部３１１を有する配管装置（以下、「下流側の配管装置」という。）３０’は、２号ポンプ２及び３号ポンプ３の吸込口に接続された第１多方向弁５と、２号ポンプ２及び３号ポンプ３の吐出口に接続された第２多方向弁６とを、有している。２つの配管装置３０、３０’は、それぞれの第１多方向弁５どうしと、第２多方向弁６どうしとが、互いに接続されている。
【００５６】
次に、図２、図３及び図８を参照して、配管システム５０の具体的な構成について説明する。上流側の配管装置３０の第１流入口３１１ａ及び第２流出口３１２ａは、それぞれ上水道配水管への接続口１７及び需要先への接続口１８に接続される。上流側の配管装置３０の複数の第１流出口のうち１つ３１１ｃは、下流側の配管装置３０’の第１流入口３１１ａと接続されている。また、上流側の配管装置３０の複数の第２流入口のうち１つ３１２ｃは、下流側の配管装置３０’の第２流出口３１２ａと接続されている。上流側の配管装置３０における複数の第１流出口及び第２流入口のうち、下流側の配管装置３０’と接続されていない第１流出口３１１ｂ及び第２流入口３１２ｂは、１号ポンプ１の吸込口及び吐出口にそれぞれ接続される。下流側の配管装置３０’における複数の第１流出口３１１ｂ、３１１ｃは、それぞれ２号ポンプ２及び３号ポンプ３の各吸込口に接続される。下流側の配管装置３０’における複数の第２流入口３１２ｂ、３１２ｃは、それぞれ２号ポンプ２及び３号ポンプ３の各吐出口に接続される。
【００５７】
各配管装置３０、３０’の弁体３２は、第２水室３２２から第１水室３２１への水流が、常に禁止されるように構成されている。具体的に、図８の例では、上流側の配管装置３０の弁体３２が、バイパス管３８と逆止弁３３とを備えており、下流側の配管装置３０’の弁体３２が、第１水室３２１と第２水室３２２との間の水流を禁止するように構成された隔壁を備えている。
【００５８】
次に、本実施形態に係る配管システム５０の作用を説明する。図８の流路は、１〜３号ポンプ１〜３への流路を形成している場合を示している。図８において、本例の給水装置４は、上水道配水管の給水圧力が、ポンプで昇圧しなくても需要先で必要かつ十分な給水が出来るように定められた設定値以下である場合、１〜３号ポンプ１〜３のいずれかを運転させて、給水圧力を当該設定値まで昇圧させる。この場合、例えば、１〜３号ポンプ１〜３は、それぞれの運転時間が平均化するように交互に運転され、同時に運転されることは無いようにしてもよいし、同時に運転させてもよい。
一方、上水道配水管の給水圧力が、上記設定値を超えた場合、ポンプによる昇圧が必要ではないことから、１〜３号ポンプ１〜３のいずれも運転させない。この場合、上水道配水管の接続口１７から流れる水は、逆流防止器１６、上流側の配管装置３０の弁箱３１の第１流入口３１１ａ、上流側の配管装置３０のバイパス管３８（及び逆止弁３３）、上流側の配管装置３０の弁箱３１の第２流出口３１２ａ、需要先への接続口１８の順に流れることとなる。このように、給水圧力が充分である場合に、バイパス管３８に水を流すことで、ポンプの消費電力を節約することができる。さらに、バイパス管３８内を流れる水が、逆止弁３３を通過することにより、需要先の水が上水道配水管に逆流するのを防止することができる。また、バイパス管３８及び逆止弁３３が弁体３２内に設けられるので、配管システム５０が大型化することはない。
例えば、いずれかのポンプが故障した場合、当該故障したポンプに接続された配管装置のハンドル７を操作して弁体３２を弁箱３１に対して軸線９周りに回転させることにより、故障したポンプと該故障したポンプに接続された配管装置との間の水流を遮断する。そして、給水圧力が上述した設定値以下である場合は、正常なポンプを運転させ、給水圧力が当該設定値を超えた場合は、正常なポンプも運転させずに、水をバイパス管３８に流す。
【００５９】
本実施形態によれば、複数のポンプ１〜３への水流を、ポンプの数よりも少ない数の弁体３２の回転によって制御することができるので、配管システムの小型化と操作性の向上とが可能になる。
【００６０】
なお、配管システム５０が、３つ以上の配管装置を備える場合、それらを次のように接続して使用するのがよい。いずれか１つの配管装置の第１流入口３１１ａ及び第２流出口３１２ａが、それぞれ上水道配水管への接続口１７及び需要先への接続口１８に接続される。そして、隣接する２つの配管装置のうち、一方の配管装置の複数の第１流出口３１１ｂ、３１１ｃのうち１つが、他方の配管装置の第１流入口３１１aと接続され、一方の配管装置の複数の第２流入口３１２ｂ、３１２ｃのうち１つが、他方の配管装置の第２流出口３１２ａと接続される。さらに、各配管装置における複数の第１流出口３１１ｂ、３１１ｃ及び第２流入口３１２ｂ、３１２ｃのうち、他の配管装置と接続されていない１つ以上の第１流出口及び第２流入口が、１つ以上のポンプの各吸込口及び各吐出口にそれぞれ接続される。
【００６１】
また、配管システム５０では、少なくとも１つの配管装置の弁体３２が、バイパス管３８及び逆止弁３３を備えていればよい。この場合、他の配管装置の弁体３２が、それぞれ、第１水室３２１と第２水室３２２との間の水流を禁止するように構成された隔壁を備えるものとする。ただし、複数の配管装置のうち、最も上流側の配管装置の弁体３２が、バイパス管３８及び逆止弁３３を備えるようにすれば、他の配管装置がこれらを備える場合と比べて、上水道配水管への接続口１７からバイパス管３８を通って需要先への配管接続口１８に至る流路を最も短くすることができるので、最も効率的である。
【００６２】
なお、上水道配水管への接続口１７と配管システム５０との間の流路に、受水槽を設けてもよい。この場合、上水道配水管への接続口１７からの水が、一旦受水槽に溜められ、これが給水元となって必要時に水が配管システム５０に送られる。なお、仮に配管システム５０から受水槽に水が逆流した場合でも、受水槽から上水道配水管への接続口１７に水が逆流するおそれはないため、逆流防止器１６を設ける必要はない。ただし、受水槽からの給水圧力は、需要先で必要かつ十分な給水が出来るほど高くはないおそれがあるため、常にポンプで昇圧されることが好ましい。この観点から、受水槽を給水元とする場合、全ての配管装置３０、３０’、・・・が、弁体３２に、バイパス管３８及び逆止弁３３を備える代わりに、第１水室３２１と第２水室３２２との間の水流を禁止するように構成された隔壁（図示せず）を備えることが好ましい。これによれば、受水槽から流れる水のすべてをポンプに送って昇圧させてから需要先に送ることができる。
【００６３】
また、弁体３２がバイパス管３８及び逆止弁３３を備える代わりに、弁箱３１がバイパス管及び逆止弁を設けてもよい。この場合、弁箱３１は、複数の配管装置３０、３０’のうちいずれか１つの、第１流入口又は第１流出口に接続されて弁箱３１の外部に向けて延在する第１連通管と、複数の配管装置３０、３０’のうちいずれか１つの、第２流入口又は第２流出口に接続されて弁箱３１の外部に向けて延在する第２連通管と、第１連通管と第２連通管とのそれぞれに開口するバイパス管と、バイパス管内に設けられ、第１連通管から第２連通管への水流のみを許容する逆止弁と、をさらに備えることが好ましい。この場合、各配管装置３０、３０’の弁体３２は、バイパス管３８及び逆止弁３３を備える代わりに、第１水室３２１と第２水室３２２との間の水流を禁止するように構成された隔壁（図示せず）を備えることが好ましい。この構成によれば、ポンプを運転させない場合に、上水道配水管から流れる水のすべてをバイパス管を介して需要先に送ることができるとともに、このときに需要先の水が上水道配水管に逆流するのを防止することができる。
【００６４】
なお、上述した配管装置及び配管システムは、水以外の液体（例えば海水や油等）にも使用することができる。
【産業上の利用可能性】
【００６５】
本発明に係る配管装置及び配管システムは、商業建造物や集合住宅等の需要先に給水するための、ブースタポンプや加圧給水装置等を備えた給水装置に適用することができる。
【符号の説明】
【００６６】
１：１号ポンプ、  ２：２号ポンプ、  ３：３号ポンプ、  ４：給水装置５：第１多方向弁、  ６：第２多方向弁、  ７：ハンドル、  ９：配管装置の軸線、  １６：逆流防止器、  １７：上水道配水管への接続口、  １８：需要先への接続口、  １９：圧力タンク、  ２０：仕切弁、  ３０：配管装置、  ３１：弁箱、  ３２：弁体、  ３３：逆止弁、  ３４：弁棒、  ３６、３７：支持部材、  ３８：バイパス管、  ５０：配管システム、  ３１１：第１弁箱部、  ３１１ａ：第１弁箱部の第１流入口、  ３１１ｂ、３１１ｃ：第１弁箱部の第１流出口、  ３１２：第２弁箱部、  ３１２ａ：第２弁箱部の第２流出口、  ３１２ｂ、３１２ｃ：第２弁箱部の第２流入口、  ３１３：弁箱の内周面、  ３１４、３１５：弁箱の軸線方向の端壁、  ３２０：弁体の外周面、  ３２１：第１水室、  ３２１ａ：第１開口、  ３２２：第２水室、  ３２２ａ：第２開口、  ３２３、３２４：水流遮断部、  ３２５：パッキン
【図１】
2014218789.tif 000003
【図２】
2014218789.tif 000004
【図３】
2014218789.tif 000005
【図４】
2014218789.tif 000006
【図５】
2014218789.tif 000007
【図６】
2014218789.tif 000008
【図７】
2014218789.tif 000009
【図８】
2014218789.tif 000010